(57)【要約】【課題】消防用ホースの表面に付された識別マークが、昼間における十分な識別性と暗所における識別性及び視認性を備えること。【解決手段】ホース本体１０と、ホース本体１０の外周面上に設けられ、反射材を有するベース層１１と、ベース層１１のホース本体１０とは反対側の面上に設けられ、非反射性を有し、縁取部１３が白色又は黒色である識別マーク１２とを備える。【選択図】図２
2014176422.tif 000002
【特許請求の範囲】
【請求項１】
ホース本体と、
前記ホース本体の外周面上に設けられ、反射材を有するベース層と、
前記ベース層の前記ホース本体とは反対側の面上に設けられ、非反射性を有し、縁部が白色又は黒色である識別マークとを備えることを特徴とする消防用ホース。
【請求項２】
前記ベース層は、前記ホース本体とは反対側の面が銀色であることを特徴とする請求項１に記載の消防用ホース。
【請求項３】
ホース本体と、
前記ホース本体の外周面上に設けられ、蓄光材を有するベース層と、
前記ベース層の前記ホース本体とは反対側の面上に設けられ、非反射性を有し、縁部が白色又は黒色である識別マークとを備えることを特徴とする消防用ホース。
【発明の詳細な説明】
【技術分野】
【０００１】
本発明は、表面に識別マークが付された消防用ホースに関する。
【背景技術】
【０００２】
火災が発生した場合、消防署等の拠点から消防用ホースが搬送され、消火活動が行われる。この消火活動の際は、多くの拠点から多くの消防用ホースが火災現場に集められる。このため鎮火後の消防用ホースの回収において、他の拠点の消防用ホースを回収してしまう場合がある。この問題を解決するために、消防用ホース表面の色を拠点毎に異なる色にする方法や、拠点を示す識別マークを付し、ホースの所属先を識別可能にする方法が知られている。この手段の１つとして、反射材を、識別マークの形状にする方法が知られている（例えば、特許文献１参照。）。ホース表面の色を拠点毎に変える方法や、識別マークを付す方法では、昼間においてホースが目立つようになり、昼間の視認性を高める効果もある。
【先行技術文献】
【特許文献】
【０００３】
【特許文献１】特開２００９−１５０５２２号公報
【発明の概要】
【発明が解決しようとする課題】
【０００４】
上述した消防用ホースでは、次のような問題があった。すなわち、識別マークは、所要の形状や色で形成することで、所属先等を示すマークとしての十分な識別性を得ている。識別マークを反射材で形成する場合、夜間に識別マークを視認できる。しかしながら、識別マークの色は反射材の色に限定されるため、所要の色の識別マークを形成することができず、十分な識別性が得られない場合がある。また、反射材は一般的に、明るい場所では目立たないという特性を有する。
【０００５】
識別マークに反射材を用いず、所要の色の識別マークを形成する場合、暗所において識別マークは光を反射せず、視認し難い。このため、夜間では消防用ホースを識別し難い問題がある。
【０００６】
そこで本発明は、表面に付された識別マークが昼間における十分な識別性と暗所における識別性及び視認性を備えている消防用ホースを提供することを目的としている。
【課題を解決するための手段】
【０００７】
前記課題を解決し目的を達成するために、本発明の消防用ホースは次のように構成されている。
【０００８】
ホース本体と、前記ホース本体の外周面上に設けられ、反射材を有するベース層と、前記ベース層の前記ホース本体とは反対側の面上に設けられ、非反射性を有し、縁部が白色又は黒色である識別マークとを備えることを特徴とする。
【０００９】
ホース本体と、前記ホース本体の外周面上に設けられ、蓄光材を有するベース層と、前記ベース層の前記ホース本体とは反対側の面上に設けられ、非反射性を有し、縁部が白色又は黒色である識別マークとを備えることを特徴とする。
【発明の効果】
【００１０】
本発明によれば、消防用ホース表面の識別マークが、昼間における十分な識別性と暗所における識別性及び視認性を備えることが可能となる。
【図面の簡単な説明】
【００１１】
【図１】本発明の一実施の形態に係る消防用ホースを示す側面図。
【図２】同消防用ホースの要部を示す平面図。
【図３】同消防用ホースの要部を示す断面図。
【図４】同消防用ホースにベース層及び識別マークを形成する工程を示す説明図。
【発明を実施するための形態】
【００１２】
図１は本発明の一実施の形態に係る消防用ホース１を示す側面図、図２は消防用ホース１の要部を示す平面図、図３は消防用ホース１の要部を示す断面図、図４は後述するホース本体１０にベース層１１及び識別マーク１２を形成する工程を示す説明図である。
【００１３】
消防用ホース１は、筒状のホース本体１０と、ホース本体１０の基端側の開口部と液密に連通して設けられる流入部５０と、ホース本体１０の先端側の開口部と液密に連通して設けられる流出部６０とを備えている。流入部５０は消火剤供給部Ｓと液密に着脱可能であり、流出部６０は放水用ノズルＴと液密に着脱可能である。消火剤供給部Ｓは、消火剤を供給する消火栓Ｓ１と、流入部５０に消火剤を案内する案内ホースＳ２とを有する。なお、消火剤は水等の消火に使用される物質であり、水の他に粉体等も含まれる。
【００１４】
ホース本体１０は、扁平に潰された状態で扁平面となる腹部１０ｂと扁平に潰す際に屈曲する耳部１０ａとを備えている。
【００１５】
腹部１０ｂの外周面上には、銀色の反射材を有するベース層１１が形成されている。この反射材により、ベース層１１が反射する光は、後述する識別マーク１２が反射する光よりも強い。
【００１６】
ベース層１１の、腹部１０ｂとは反対側の面上には、識別マーク１２が積層されている。識別マーク１２は、非反射性の樹脂を有する層状構造を備えている。識別マーク１２は、所定の色と形状を有し、図２における正面視で、例えば消防用ホース１の品名や、所属先を示す標章や文字、記号を形成している。また、識別マーク１２の外縁には、黒色の樹脂で形成された縁取部１３が設けられている。
【００１７】
ベース層１１と識別マーク１２は、図３に記載の方法で形成される。すなわち、腹部１０ｂにベース層１１を形成する工程では、層状に形成されたベース層１１を腹部１０ｂに接着する。この際、ベース層１１は、腹部１０ｂの表面に接着され、腹部１０ｂに一体に形成される。
【００１８】
識別マーク１２は、予め所要の形状に形成され、縁取部１３が設けられる。この識別マーク１２は、腹部１０ｂに接着されたベース層１１の、ホース本体１０とは反対側の面に接着される。
【００１９】
このようにして形成された消防用ホース１は、次のように機能する。昼間においては、識別マーク１２は所要の色と形状を有しているため、十分な識別性を有している。また、識別マーク１２に黒色の縁取部１３を形成している。黒色は、色の中で最も明るさの小さい色であるため、銀色のベース層１１に対し、識別マーク１２の形状を十分に識別可能である。したがって、識別マーク１２の色がベース層１１の色と同一であっても、識別マーク１２は十分な識別性を備えられる。
【００２０】
暗所においては、ベース層１１及び識別マーク１２に光が照射されると、ベース層１１から光が反射される。この際、識別マーク１２によって、ベース層１１の識別マーク１２に覆われた部分には光が届かない。また、ベース層１１が反射する光は非反射性を有する識別マーク１２が反射する光より強いため、識別マーク１２の形状を識別することができる。
【００２１】
上述したように、本実施の形態に係る消防用ホース１によれば、ホース本体１０の表面の、反射材から形成されたベース層１１上に、縁部に黒色の縁取部１３を有する識別マーク１２を形成しているため、昼間において識別マーク１２を識別可能である。また、暗所においては、識別マーク１２の非反射性により、ベース層１１の識別マーク１２が付されていない部分が光を反射する。このため、光を反射しない部分の識別マーク１２を識別できる。
【００２２】
なお、本実施の形態ではベース層１１が銀色、縁取部１３が黒色である場合について説明したが、ベース層１１が黒色のように、明るさの低い色である場合は、縁取部１３を白色とする。白色は最も明るい色であるため、ベース層１１が明るさの低い色である場合でも、識別マーク１２は十分な識別性を得ることが可能である。
【００２３】
また、ベース層１１が蓄光材料を有する場合であっても、上述した消防用ホース１と同様の効果を得ることができる。
【００２４】
上述したように、本実施の形態に係る消防用ホース１によれば、表面の識別マークが、昼間及び暗所のそれぞれにおいて、十分に識別が可能となる。
【００２５】
なお、本発明は前記実施の形態に限定されるものではない。例えば、上述した例では、ベース層が消防用ホースの一部に形成されている場合について説明したが、ベース層がホース表面の全面に形成されている場合であっても同様に適用できるのは勿論である。この他、本発明の要旨を逸脱しない範囲で種々変形実施可能であるのは勿論である。
【符号の説明】
【００２６】
１…消防用ホース、１０…ホース本体、１１…ベース層、１２…識別マーク、１３…縁取部。
【図１】
2014176422.tif 000003
【図２】
2014176422.tif 000004
【図３】
2014176422.tif 000005
【図４】
2014176422.tif 000006